(57)【要約】【課題】複数のユーザが集って歌唱を楽しむ場において、他のユーザの情報を参考にした選曲を可能とする。【解決手段】本発明に係るカラオケ選曲装置は、複数のログインユーザ中のアクティブユーザによる検索指示が入力された場合、検索指示に対応する楽曲の楽曲関連情報を表示部に表示させるとともに、表示部に表示された楽曲中、アクティブユーザ以外のユーザのユーザ情報に対応する楽曲を識別可能に表示させる検索処理と、検索処理において検索された楽曲中、ユーザによって選択された楽曲の選曲指示をカラオケ装置に対して出力する選曲処理と、を実行可能とする。【選択図】図９
2015064527.tif 000002
【特許請求の範囲】
【請求項１】
楽曲の演奏を可能とするカラオケ装置に対して、選曲指示を行うことのできるカラオケ選曲装置において、
入力部と、表示部と、通信部と、制御部と、を備え、
前記入力部は、ユーザからの各種指示を入力可能とし、
前記表示部は、前記制御部の制御に基づいて各種表示出力を可能とし、
前記制御部は、ログイン処理と、検索処理と、選曲処理を実行可能とし、
前記ログイン処理は、前記入力部からの指示に基づいてユーザをログインユーザとしてログインさせ、当該ログインユーザのユーザ情報を取得し、
前記検索処理は、複数のログインユーザ中のアクティブユーザによる検索指示が入力された場合、検索指示に対応する楽曲の楽曲関連情報を前記表示部に表示させるとともに、前記表示部に表示された楽曲中、アクティブユーザ以外のユーザのユーザ情報に対応する楽曲を識別可能に表示させ、
前記選曲処理は、前記検索処理において検索された楽曲中、ユーザによって選択された楽曲の選曲指示を前記カラオケ装置に対して出力する
カラオケ選曲装置。
【請求項２】
前記検索処理は、前記表示部に表示された楽曲中、アクティブユーザ以外のログインユーザのユーザ情報に対応する楽曲について、当該ユーザのユーザ名を表示する
請求項１に記載のカラオケ選曲装置。
【請求項３】
前記検索処理は、前記表示部に表示された楽曲中、アクティブユーザ以外のログインユーザのユーザ情報に対応する楽曲について、ユーザ情報に対応するログインユーザの人数を表示する
請求項１または請求項２に記載のカラオケ選曲装置。
【請求項４】
前記検索処理は、検索指示に対応する楽曲が複数存在した場合、前記表示部に表示された複数の楽曲中、アクティブユーザ以外のユーザのユーザ情報に対応する楽曲を優先的に表示する
請求項１から請求項３の何れか１項に記載のカラオケ選曲装置。
【請求項５】
前記検索処理は、アクティブユーザ以外のユーザのユーザ情報に対応する楽曲が複数存在した場合、アクティブユーザのユーザ情報に対応する楽曲に応じて、アクティブユーザ以外のログインユーザのユーザ情報に対応する複数の楽曲の表示順を変更する
請求項４に記載のカラオケ選曲装置。
【請求項６】
楽曲の演奏を可能とするカラオケ装置に対して、選曲指示を行うことのできる情報処理装置で実行されるカラオケ選曲用プログラムにおいて、
前記情報処理装置は、入力部と、表示部と、通信部と、制御部と、を備え、
前記入力部は、ユーザからの各種指示を入力可能とし、
前記表示部は、前記制御部の制御に基づいて各種表示出力を可能とし、
前記カラオケ選曲用プログラムは、ログイン処理と、検索処理と、選曲処理を前記制御部に実行させ、
前記ログイン処理は、前記入力部からの指示に基づいてユーザをログインユーザとしてログインさせ、ログインユーザのユーザ情報を取得し、
前記検索処理は、複数のログインユーザ中のアクティブユーザによる検索指示が入力された場合、検索指示に対応する楽曲の楽曲関連情報を前記表示部に表示させるとともに、前記表示部に表示された楽曲中、アクティブユーザ以外のログインユーザのユーザ情報に対応する楽曲を識別可能に表示させ、
前記選曲処理は、前記検索処理において検索された楽曲中、ユーザによって選択された楽曲の選曲指示を前記カラオケ装置に対して出力する
カラオケ選曲用プログラム。
【発明の詳細な説明】
【技術分野】
【０００１】
本発明は、演奏にあわせて歌唱を楽しむことのできるカラオケ装置に対して、楽曲の選曲など各種指令を送信することのできるカラオケ選曲装置、並びに、カラオケ選曲装置で実行されるカラオケ選曲用プログラムに関する。
【背景技術】
【０００２】
従来、楽曲の演奏に合わせて歌唱を楽しむカラオケ装置が知られている。カラオケ装置では、リモコン装置などのカラオケ選曲装置を利用し、カラオケ装置に対して歌唱して対楽曲を指定することで、カラオケ装置に対して楽曲の指定が行われる。従来、楽曲の指定は歌本を使用して楽曲識別番号を確認し、楽曲識別番号をリモコン装置に入力することで行われていた。現在では、タッチパネル表示装置を有するリモコン装置が主流であって、ユーザがキーワードを入力することで、所望の楽曲を選択することが可能となっている。このようなリモコン装置を使用した楽曲の選択方法について各種提案が行われている。
【０００３】
特許文献１には、嗜好が近似したユーザを特定し、特定されたユーザの歌唱履歴中、指定順位以上の曲目同士を比較し、ユーザ間で共通する楽曲を抽出する推奨楽曲選出方法が開示されている。このような推奨楽曲選出方法を使用することで、嗜好が近似する利用者を特定し、歌唱履歴中で共通する楽曲を推奨することで、利用者に対して効率的な選曲を行わせることを可能としている。
【先行技術文献】
【特許文献】
【０００４】
【特許文献１】特開２００６−３３７４０５号公報
【発明の概要】
【発明が解決しようとする課題】
【０００５】
複数のユーザが集って歌唱を楽しむことの多いカラオケの場では、集うユーザの嗜好を考慮した選曲を行うことが、場の雰囲気を盛り上げる上で好ましい。特許文献１に記載される推奨楽曲選出方法も、他のユーザの嗜好を考慮したものではあるが、ユーザ間で共通する楽曲を推奨楽曲で選出する方法である、すなわち、自分が知っている楽曲中から他のユーザと共通する楽曲が推奨されるに過ぎず、ユーザがこれまでに歌唱したことの無い楽曲が、その場に集うユーザの嗜好に沿うか否かを判別することはできない。
【０００６】
また、選曲に悩んでいるユーザが、その場に集う他のユーザから口頭で歌唱楽曲の推奨を受けることがある。現状、数十万曲を管理可能なカラオケ装置においては、同じ楽曲名を有する楽曲がかなりあるため、例えば、楽曲名だけを告げられ、リモコン装置によって検索した場合、複数の候補楽曲が表示されることとなり、推奨された楽曲がどの楽曲であるか識別に困る場合がある。このような場合、推奨したユーザに対して歌手名など、さらなる情報を聞くことで、楽曲を特定しなければならなかった。
【課題を解決するための手段】
【０００７】
上述する課題を解決するため、本発明に係るカラオケ選曲装置は、以下の構成を採用するものである。
楽曲の演奏を可能とするカラオケ装置に対して、選曲指示を行うことのできるカラオケ選曲装置において、
入力部と、表示部と、通信部と、制御部と、を備え、
前記入力部は、ユーザからの各種指示を入力可能とし、
前記表示部は、前記制御部の制御に基づいて各種表示出力を可能とし、
前記制御部は、ログイン処理と、検索処理と、選曲処理を実行可能とし、
前記ログイン処理は、前記入力部からの指示に基づいてユーザをログインユーザとしてログインさせ、当該ログインユーザのユーザ情報を取得し、
前記検索処理は、複数のログインユーザ中のアクティブユーザによる検索指示が入力された場合、検索指示に対応する楽曲の楽曲関連情報を前記表示部に表示させるとともに、前記表示部に表示された楽曲中、アクティブユーザ以外のユーザのユーザ情報に対応する楽曲を識別可能に表示させ、
前記選曲処理は、前記検索処理において検索された楽曲中、ユーザによって選択された楽曲の選曲指示を前記カラオケ装置に対して出力する。
【０００８】
さらに本発明に係るカラオケ選曲装置において、
前記検索処理は、前記表示部に表示された楽曲中、アクティブユーザ以外のログインユーザのユーザ情報に対応する楽曲について、当該ユーザのユーザ名を表示する。
【０００９】
さらに本発明に係るカラオケ選曲装置において、
前記検索処理は、前記表示部に表示された楽曲中、アクティブユーザ以外のログインユーザのユーザ情報に対応する楽曲について、ユーザ情報に対応するログインユーザの人数を表示する。
【００１０】
さらに本発明に係るカラオケ選曲装置において、
前記検索処理は、検索指示に対応する楽曲が複数存在した場合、前記表示部に表示された複数の楽曲中、アクティブユーザ以外のユーザのユーザ情報に対応する楽曲を優先的に表示する。
【００１１】
さらに本発明に係るカラオケ選曲装置において、
前記検索処理は、アクティブユーザ以外のユーザのユーザ情報に対応する楽曲が複数存在した場合、アクティブユーザのユーザ情報に対応する楽曲に応じて、アクティブユーザ以外のログインユーザのユーザ情報に対応する複数の楽曲の表示順を変更する。
【００１２】
また本発明に係るカラオケ選曲用プログラムは、
楽曲の演奏を可能とするカラオケ装置に対して、選曲指示を行うことのできる情報処理装置で実行されるカラオケ選曲用プログラムにおいて、
前記情報処理装置は、入力部と、表示部と、通信部と、制御部と、を備え、
前記入力部は、ユーザからの各種指示を入力可能とし、
前記表示部は、前記制御部の制御に基づいて各種表示出力を可能とし、
前記カラオケ選曲用プログラムは、ログイン処理と、検索処理と、選曲処理を前記制御部に実行させ、
前記ログイン処理は、前記入力部からの指示に基づいてユーザをログインユーザとしてログインさせ、ログインユーザのユーザ情報を取得し、
前記検索処理は、複数のログインユーザ中のアクティブユーザによる検索指示が入力された場合、検索指示に対応する楽曲の楽曲関連情報を前記表示部に表示させるとともに、前記表示部に表示された楽曲中、アクティブユーザ以外のログインユーザのユーザ情報に対応する楽曲を識別可能に表示させ、
前記選曲処理は、前記検索処理において検索された楽曲中、ユーザによって選択された楽曲の選曲指示を前記カラオケ装置に対して出力する。
【発明の効果】
【００１３】
本発明に係るカラオケ選曲装置及びカラオケ選曲用プログラムによれば、複数のユーザが集って歌唱を楽しむカラオケの場において、リモコン装置などのカラオケ選曲装置を使
用して楽曲検索する際、検索結果としての楽曲について、他のユーザのユーザ情報中に登録されている楽曲を識別可能とすることで、カラオケの場を盛り上げ可能な楽曲を識別することが可能となる。また、他のユーザから口頭などで推奨された楽曲について、同名の楽曲が複数存在した場合、目当てとする楽曲を容易に判別することも可能となる。
【図面の簡単な説明】
【００１４】
【図１】本発明の実施形態に係るカラオケシステムを示す図
【図２】本発明の実施形態に係るトップ画面を示す図
【図３】本発明の実施形態に係るユーザ情報のデータ構成を示す図
【図４】本発明の実施形態に係るユーザ情報の送受信を説明する図
【図５】本発明の実施形態に係るアクティブユーザトップ画面を示す図
【図６】本発明の実施形態に係る楽曲指定処理を示すフロー図
【図７】本発明の実施形態に係る一覧表示処理を示すフロー図
【図８】マイうたテーブルの登録例を示す図
【図９】本発明の実施形態に係る検索結果一覧画面を示す図
【図１０】本発明の実施形態に係る楽曲確認画面を示す図
【図１１】本発明の他の実施形態に係る検索結果一覧画面を示す図
【図１２】本発明の他の実施形態に係る検索結果一覧画面を示す図
【発明を実施するための形態】
【００１５】
図１は、本発明の実施形態に係るカラオケシステムの構成を示す図である。本実施形態におけるカラオケシステムは、カラオケ装置２（コマンダ）と、リモコン装置１（本発明における「楽曲選曲装置」）を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１６】
カラオケボックスなどの店舗に設置されるカラオケ装置２は、楽曲を演奏するための演奏部として音響制御部２５を備えている。また、カラオケ装置２は、ユーザからの各種入力を受け付けるスイッチなどで構成されるカラオケ装置２側の入力部としての操作部２１を備える。カラオケ装置２は、操作部２１からの入力を解釈して制御部３０に伝達する操作処理部２２を備える。また、カラオケ装置２は、各種情報を記憶するカラオケ装置側記憶部としてのＨＤＤ３２（ハードディスク）を備える。カラオケ装置２は、ＬＡＮ１００に接続してネットワークに加入するためのカラオケ装置側通信手段としてのＬＡＮ通信部２４インターフェイス部２４を備えている。
【００１７】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００１８】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３から楽曲を選択して、直接カラオケ装置２に予約をさせるなど、カラオケ装置２に対する各種操作を行うことが可能である。
【００１９】
さらに、カラオケ装置２は、各構成を統括して制御するため、ＣＰＵにて構成されるＣＰＵ３０、各種プログラムを実行するにあたって必要となる情報を一時記憶するためのメモリ２７を備えて構成される。
【００２０】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２１】
楽曲演奏処理は、楽曲情報に含まれる演奏情報に基づき、音響制御２５に演奏を実行させる処理である。音響制御部２５にて演奏された楽曲は、歌唱用マイク４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２２】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２３】
さらにリモコン装置１は、楽曲検索に必要とされるデータベース、各種プログラム、並びに、プログラム実行に伴って発生する各種情報を記憶するリモコン側記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２４】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２５】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００２６】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報が提供される。
【００２７】
本実施形態のカラオケシステムは、各リモコン装置１のタッチパネルモニタ１１から認証情報（後述するユーザ識別情報やパスワード）を入力することで、ログインすることが可能となっている。特に、本実施形態のカラオケシステムでは、複数のユーザをユーザ毎にログインさせることを可能としており、ログインした各ユーザ（ログインユーザ）に関する情報は画面上方に常時表示される。本実施例においては、ログインした各ユーザに関する情報として、各ユーザの分身像（アバター）を表示するためのログインユーザ欄１０３が設けられている。なお、分身像としては、人、キャラクターを模した像の他、図形や記号など各種形態を採用することができる。
【００２８】
また、アカウントを有していないユーザのためのゲストアイコン１０２、ユーザを切り替えるためのユーザ切り替えスイッチ１０１が表示されている。ログインしたユーザは、ログインユーザ欄１０３に表示される分身像を選択、あるいは、ユーザ切り替えスイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切り替えの際には、パスワードなどを使用した認証を行うこととしてもよいが、認証を行うことなく簡易に切り替えることとしてもよい。
【００２９】
図３は、ユーザ毎にホスト装置５に記憶されているユーザ情報を説明するための図である。本実施形態では、ユーザ情報として、個人情報、マイうたテーブル、マイアーティストテーブル、履歴テーブルといった、ユーザに関する各種情報を含んで構成される。ユーザ情報は、ホスト装置５の記憶部５１に記憶されている。ユーザ情報には、ユーザがログインするための認証情報（ユーザ識別情報とパスワード）が含まれている。個人情報には、ユーザ名（実際の名前に限ったものでなく、ニックネームであってもよい）、性別、年齢、うた年齢、居住地、趣味、好きな楽曲ジャンルなどを含んで構成される。これら各種情報は、リモコン装置１、あるいは、インターネットなどのネットワークに接続された図示しないパーソナルコンピュータ、携帯情報端末などを使用し、ログインして設定することも可能である。リモコン装置１とカラオケ装置２との対応付け（通称、くくりつけ）が、予め完了していれば、リモコン装置１の操作部１７から入力された各種情報をカラオケ装置２へ送付し、カラオケ装置２からホスト５へログインしてもよい。
【００３０】
マイうたテーブルは、ユーザによって登録された楽曲を記憶するテーブルであって、楽曲識別情報、音程調整値、過去の採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３１】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００３２】
履歴テーブルは、ユーザが過去の歌唱時に演奏した楽曲に関する各種情報を記録した情報であって、本実施形態では、過去に当該ユーザが予約することで演奏された楽曲について、楽曲の楽曲識別情報、演奏した日時を示す歌唱日時、採点情報などを含んで構成されている。ユーザは、この履歴テーブルに基づいて、過去に演奏した楽曲を呼び出して再度歌唱することが可能である。
【００３３】
図４は、このユーザ情報の送受信の様子を示した図である。カラオケ店舗に来店したユーザは、自己のユーザ識別情報とパスワードで構成された認証情報を入力、あるいは、リ
モコン装置１などに設けられたＩＣカードリーダでＩＣカードに記憶されている認証情報を読み取らせることで認証処理Ｓ１０１を実行する。カラオケ装置２あるいはリモコン装置１は、認証情報をホスト装置５に送信し（Ｓ１０２）、認証情報を受信したホスト装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００３４】
ユーザ情報を受信したカラオケ装置２側では（Ｓ１０３）、受信したユーザ情報に基づいて、楽曲指定処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をホスト装置５に送信する（Ｓ１０６）。ここで、ユーザ情報は、全ての情報を送信することの他、更新された差分だけを送信してもよい。ユーザ情報を受信したホスト装置５では（Ｓ１２３）、受信したユーザ情報に基づいて記憶部５１に記憶されたデータベースの更新を実行する（Ｓ１２４）。
【００３５】
以上、あるユーザが認証処理（ログイン処理）してから、ログアウトするまでの流れを説明したが、本実施形態のカラオケ装置２、リモコン装置１は、認証された複数人（認証ユーザ）が同時にログインしている状態で使用することが可能となっている。図２で説明したユーザインターフェイスを用いることで、サービスを提供するユーザ（以下、「アクティブユーザ」という）を切り替えて使用することが可能となっている。
【００３６】
図５は、本発明の実施形態に係るアクティブユーザトップ画面を示す図である。この図に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００３７】
図６には、本発明の実施形態に係るリモコン装置１で実行される楽曲指定処理を示すフロー図が示されている。楽曲指定処理は、ゲストユーザも行うことが可能であるが、ここでは、図４で説明した処理を経てログインしたログインユーザによる楽曲指定処理について説明を行う。図５で説明したように、アクティブユーザの切り替えは、ログインユーザ欄１０３ａ〜１０３ｄに表示されているログインユーザの分身像（アバター）を指定入力することなどで行うことが可能である。アクティブユーザに指定されたログインユーザは、その分身像がログインユーザ欄１０３ｅに表示される。そして、当該アクティブユーザのユーザ情報を使用した各種処理を実行することが可能となる。
【００３８】
本実施形態では、図５に示すアクティブユーザトップ画面中、「曲を探す」ボタンがユーザにより操作されると、検索ワードを使用した楽曲の検索が実行開始される。図９には、楽曲指定処理を実行することで表示される検索結果一覧画面が示されている。この検索結果一覧画面中、検索ワード入力欄１０４ａに検索ワードを入力し、検索ボタン１０４ｂを操作することで、図に示される検索結果を取得することが可能である。このような手順で検索ワードが入力された場合（Ｓ２０１：Ｙｅｓ）、リモコン装置１は、メモリ１４などの記憶部に記憶する楽曲データベース（図示せず）を参照し、検索ワードに対応する楽曲（検索結果）を取得する（Ｓ２０２）。
【００３９】
取得した検索結果に対して、どの楽曲が他のログインユーザ（アクティブユーザ以外の
ログインユーザ）のマイうたテーブルに登録されているかを判定する（Ｓ２０３）。この処理は、他のログインユーザのユーザ情報を参照することで行われる。本実施形態では、検索結果一覧画面、及び、楽曲確認画面に表示される楽曲に対し、他のログインユーザのマイうたテーブルに登録されている楽曲を識別可能に表示することとしている。一覧表示処理（Ｓ３００）は、他のログインユーザが登録している楽曲を識別可能に表示する検索結果一覧画面を形成、表示する処理である。
【００４０】
図７には、本発明の実施形態に係る一覧表示処理を示すフロー図が示されている。一覧表示処理では、まず、他のログインユーザの登録が判定された楽曲について登録人数が算出される（Ｓ３０１）。本実施形態の一覧表示処理では、登録人数に応じて検索結果の並び替えを行うこととしている（Ｓ３０２）。具体的には、登録人数の多い順で並べ替えられた楽曲が検索結果一覧画面に表示される（Ｓ３０６）ことで、歌唱する場に集う他のログインユーザの嗜好（本実施形態では、楽曲のジャンル）する楽曲を容易に識別可能とすることが可能となっている。
【００４１】
さらに本実施形態では、登録人数が同数の楽曲に対しては、アクティブユーザ、すなわち、楽曲検索を行っているユーザの嗜好を参照して、並び替えの順番を決定している。アクティブユーザの嗜好は、ユーザ情報中に登録されたマイうたテーブルに登録された楽曲のジャンルに基づき判定することとしているが、ユーザ情報中に登録された楽曲に関する情報であれば、各種情報（アーティストテーブル、履歴テーブル、個人情報内の好きなジャンルなど）を使用することが可能である。
【００４２】
登録人数が同数の楽曲有りと判定された場合（Ｓ３０３：Ｙｅｓ）、アクティブユーザのユーザ情報を参照することで、アクティブユーザの楽曲嗜好が判定される（Ｓ３０４）。登録人数が同数の楽曲について並べ替えが実行（Ｓ３０５）され、検索結果一覧画面が表示される（Ｓ３０６）。
【００４３】
図８には、マイうたテーブルの登録例が示されている。ここでは、図９に示されるように検索ワード入力欄１０４ａに「あい」という検索ワードを入力して検索を実行した場合であり、ユーザＡ（Ａさん）がアクティブユーザとして検索を実行している場合について説明を行う。図８には楽曲名中に、「あい」を有する楽曲について、各ユーザＢ〜ユーザＥのマイうたテーブルの登録状況が示されている。また、各楽曲にはジャンルが割り当てられている。図３で説明したようにマイうたテーブルには、楽曲識別情報、音程調整値、採点情報が登録されているが、これら、楽曲名、歌手名、ジャンルは、リモコン装置１あるいはカラオケ装置２等の記憶部（メモリ１４、ハードディスク３２等）に記憶されている楽曲データベースを検索することで取得することが可能である。楽曲名「アイ」、歌手名「ああああ」なる楽曲は、ユーザＢとユーザＥのマイうたテーブルに登録されている。本実施形態では、楽曲指定処理中、Ｓ２０２で取得された検索結果に対しては、このような他のログインユーザのマイうたテーブルを参照することで、検索画面一覧画面が表示される。
【００４４】
図９は、本発明の実施形態に係る検索結果一覧画面を示す図であって、図８で説明したマイうたテーブルの登録例について、図６の楽曲指定処理、及び、図７の一覧表示処理を実行した結果である。検索ワード入力欄１０４ａに入力された検索ワード「あい」に基づく検索実行に伴い、検索ワード「あい」に適合する楽曲に関する情報（楽曲名、歌手名）が表示されている。図８で説明したマイうたテーブルの登録例にみられように、同じ呼び名を有する楽曲名が複数存在することがあるが、本実施形態では、検索結果となる各楽曲について、当該楽曲がユーザ情報中に登録されているログインユーザのユーザ名（登録ユーザ名）を対応付けて表示することで、検索結果の中から同席している他のログインユーザの関心の高い楽曲を識別することを可能としている。さらに、本実施形態では、登録ユ
ーザ数の多い順に楽曲を並び替えることで、その場に集うユーザ間における楽曲の人気度を参酌した選曲が容易となる。
【００４５】
また、この例のように、同じ呼び名の楽曲名が複数存在する場合、他のユーザから口頭にて楽曲名だけが告げられる楽曲の推奨が行われた場合、どの楽曲が推奨されているのか分からないことがある。例えば、ユーザＤ（Ｄさん）から「あい」という呼び名の楽曲を歌唱して欲しい旨を告げられた場合、図９の検索結果一覧画面では、全て「あい」という呼び名の楽曲名であるため、歌唱名やジャンルなど、当該楽曲の詳細な情報をユーザＤに問う、あるいは、検索結果一覧画面をユーザＤに見せる等、行う必要があった。本実施形態では、検索結果中、ログインユーザ中の誰が登録している楽曲であるか識別可能としているため、ユーザＤから「あい」という呼び名の楽曲が推奨された場合、当該楽曲は、ユーザＤが登録している楽曲名「アイ」、歌手名「おおおお」なる楽曲であると推定することが可能となる。
【００４６】
さらに、本実施形態では、図７の一覧表示処理（Ｓ３０３、Ｓ３０４）において説明したように、登録人数が同数の楽曲に対しては、アクティブユーザのユーザ情報を参照することで、アクティブユーザの楽曲嗜好を判定し、当該楽曲嗜好に対応する楽曲を優先的に表示させる（上段に表示させる）こととしている。図９の例では、楽曲名「ｉ（アイ）」、歌手名「ええええ」なる楽曲と、楽曲名「愛」、歌手名「うううう」なる楽曲がこれに相当する。本実施形態では、このような場合、図８に示す各楽曲のジャンルを参照し、優先的に表示する楽曲を決定している。図９の例では、アクティブユーザのユーザ情報に基づいて、判定された楽曲嗜好のジャンルが、歌謡曲であることを理由として、楽曲名「ｉ（アイ）」、歌手名「ええええ」なる楽曲を、楽曲名「愛」、歌手名「うううう」なる楽曲よりも優先して（上段に）表示させている。
【００４７】
以上、本実施形態の一覧表示処理について説明を行ったが、本実施形態の一覧表示処理では、検索ワード入力欄１０４ａに対する検索ワードの入力、及び、検索ボタン１０４ｂの操作による検索指示に基づき、検索された楽曲中、ログインユーザのユーザ情報に登録さている楽曲を識別可能とすることとしている。
【００４８】
さらに、本実施形態の一覧表示処理では、以下に示す各処理を伴って行うこととしている。
（１）検索された楽曲に対して登録ユーザ名を表示する。
（２）検索された楽曲について、登録ユーザ数に基づき優先表示する楽曲を決定する。
（３）登録ユーザ数が同じ場合、アクティブユーザのユーザ情報に基づく楽曲嗜好にて、優先表示する楽曲を決定する。
【００４９】
なお、検索された楽曲中、ログインユーザのユーザ情報に登録さている楽曲を識別可能とする形態あれば、（１）〜（３）の処理に限定することなく各種形態を採用することが可能である。例えば、（２）の処理において登録ユーザ数が同じ楽曲を対象として行われる（３）の処理については、（２）の前提とした処理を外し、検索された楽曲中、他のログインユーザが登録している楽曲を対象とし、アクティブユーザのユーザ情報に基づく楽曲嗜好を使用して優先表示することとしてもよい。あるいは、登録ユーザ名（あるいは登録ユーザ数）を表示することなく、登録されていることだけを示すフラグなどを楽曲に対応付けて表示することとしてもよい。
【００５０】
図５に戻って、楽曲指定処理説明を続ける。図９で説明した検索結果一覧画面中、アクティブユーザ（この場合、Ａさん）によって所望の楽曲が選択される（Ｓ２０４：Ｙｅｓ）と、リモコン装置１のタッチパネルモニタ１１には、選択された楽曲に関する楽曲確認画面が表示される（Ｓ２０５）。図１０には、本発明の実施形態に係る楽曲確認画面が示
されている。アクティブユーザとして楽曲を選択した場合、この楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。音程設定右下の「変更」ボタンを操作することで、音程設定用の子画面が表示され音程調整値を設定することが可能である。
【００５１】
さらに、本実施形態の検索結果確認画面には、当該楽曲について登録ユーザ名を表示することとしている。このように、本発明は、検索された楽曲中、ログインユーザのユーザ情報に登録さている楽曲を識別可能とする形態であれば、図９の検索結果一覧画面、あるいは、図１０の楽曲確認画面であることを問うものではない。
【００５２】
この楽曲確認画面にて「予約」ボタンの操作による選曲指示が入力される（Ｓ２０６：Ｙｅｓ）と、リモコン装置１からカラオケ装置２に対してアクティブユーザのユーザ識別情報、楽曲識別情報、音程調整値などを含む予約情報が送信される（Ｓ２０７）。受信したカラオケ装置２では、予約情報を予約テーブルに追加して、予約テーブルに登録された楽曲を順次演奏させる楽曲演奏処理を実行する。
【００５３】
以上、リモコン装置１をカラオケ選曲装置として使用した形態について説明を行ったが、カラオケ選曲装置としては、リモコン装置１のみならず、カラオケ装置２側のタッチパネルモニタ３３を使用した形態としてもよい。また、現在、ユーザが所有するスマートフォンなどの携帯情報端末（情報処理装置）に対し、プログラム（アプリ）をインストールすることでカラオケ選曲機能を付加することが実施されているが、このような情報処理装置で実行可能なプログラムについても、本発明の客体に相当するものである。
【００５４】
図１１、図１２には、本発明の他の実施形態に係る検索結果一覧画面が示されている。図１１に示される検索結果一覧画面は、図９で説明した画面と対比して、登録ユーザ数を表示している点で異なっている。カラオケボックスのように気の知れた仲間が集って歌唱を楽しむ場合には、図９のように登録ユーザ名を表示させることとしてもよいが、スナックなどのナイト店のような見知らぬ人も集う場所では、楽曲を登録していることを知られたくないユーザがいる場合もある。このように個人情報の観点から、登録ユーザ名を表示することに代えて、登録ユーザ名を表示させることとしてもよい。なお、個人情報の観点においては、各ユーザが自分の登録している楽曲の公開、非公開、すなわち、他のユーザの楽曲指定処理にて使用可能とするか否かを設定可能としてもよい。その場合、楽曲毎に公開、非公開を設定可能としてもよい。
【００５５】
図１２に示される検索結果一覧画面は、図９で説明した画面と対比して、検索指示、並びに、検索結果の表示順において異なった形態となっている。図９の検索指示は、検索ワード入力欄１０４ａに対する検索ワードの入力、及び、検索ボタン１０４ｂの操作により行われていたが、図１２では、画面左側に示される検索タブ（「あ」〜「わ」が表記されているボタン）を操作することで、楽曲名順に並んだ検索結果位置等画面が表示される。なお、楽曲名の読み方が同一である場合には、歌手名などの副次的な項目を利用して、表示順序が決定される。このような形態においても、他のログインユーザが登録している楽曲に対して、登録ユーザ名を表示することで、他のログインユーザが登録している楽曲を識別可能とすることが可能である。なお、本実施形態では、検索結果を表示させる際、登録ユーザ数、あるいは、アクティブユーザの楽曲嗜好を使用した並び替えは行っておらず、楽曲は、従来と同様の順序（１次キーとして楽曲名、２次キーとして歌手名を使用した順序）で楽曲を一覧表示している。
【００５６】
以上、ユーザ情報中のマイうたテーブルを使用した楽曲指定処理について説明を行った
が、ユーザ情報中、使用するテーブルは、このマイうたテーブルのみならず、図３で説明したマイアーティストテーブル、もしくは、履歴テーブルを使用することとしてもよい。マイアーティストテーブルを使用した場合、このマイアーティストテーブルに登録されているアーティスト（歌手）の楽曲に対して、上述した実施形態と同様、検索結果中の楽曲を識別可能とすることで、選曲を行うユーザに対し、ログインユーザがマイアーティストテーブルに登録していることを識別することが可能となる。また、履歴テーブルを使用した場合、選曲を行うユーザに対し、ログインユーザが歌唱済みの楽曲であることを識別することが可能となる。
【００５７】
なお、本発明はこれらの実施形態のみに限られるものではなく、それぞれの実施形態の構成を適宜組み合わせて構成した実施形態も本発明の範疇となるものである。
【符号の説明】
【００５８】
１ａ、１ｂ…リモコン装置、１１…タッチパネルモニタ、１１ａ…表示部、１１ｂ…タッチパネル、１２…ビデオＲＡＭ、１３…映像制御部、１４…メモリ、１５…ＣＰＵ、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…ＬＡＮ通信部、２５…音響制御部、２７…メモリ、２８…ビデオＲＡＭ、２９…映像再生部、３０…ＣＰＵ、３１…映像制御部、３２…ＨＤＤ（ハードディスク）、４１…モニタ、４２…スピーカ、４４ａ、４４ｂ…歌唱用マイク（マイクロホン）、１００…ＬＡＮ、１１０…アクセスポイント、１２０…ルータ、５…ホスト装置
【図１】
2015064527.tif 000003
【図２】
2015064527.tif 000004
【図３】
2015064527.tif 000005
【図４】
2015064527.tif 000006
【図５】
2015064527.tif 000007
【図６】
2015064527.tif 000008
【図７】
2015064527.tif 000009
【図８】
2015064527.tif 000010
【図９】
2015064527.tif 000011
【図１０】
2015064527.tif 000012
【図１１】
2015064527.tif 000013
【図１２】
2015064527.tif 000014